(57)【要約】      （修正有）【課題】位置決めピンの下側のスペースを有効に使用することを目的とする。【解決手段】ディスクカートリッジ１を保持すると共にこのディスクカートリッジ１の挿入又は排出位置、記録又は再生位置に移動する如く成されたカートリッジホルダが設けられたシャーシ５を有し、このシャーシ５とは別部品１１にこのディスクカートリッジ１の位置決めピン１３を設け、このシャーシ５の所定位置にこの別部品１１を取付けるようにしたものである。【選択図】        図１
2004164698.tif 000002
【特許請求の範囲】
【請求項１】
ディスクカートリッジを保持すると共に前記ディスクカートリッジの挿入又は排出位置、記録又は再生位置に移動する如くなされたカートリッジホルダが設けられたシャーシを有し、
該シャーシとは別部品に前記ディスクカートリッジの記録又は再生時の位置を決定する位置決めピンを設け、前記シャーシの所定位置に前記別部品を取付けるようにしたことを特徴とするディスクカートリッジプレーヤ。
【請求項２】
請求項１記載のディスクカートリッジプレーヤにおいて、
前記別部品は電池ケース部品であることを特徴とするディスクカートリッジプレーヤ。
【発明の詳細な説明】
【０００１】
【発明の属する技術分野】
本発明は光ディスクや光磁気ディスク等のディスクをカートリッジに収納してなるディスクカートリッジを用いて情報信号の記録及び／又は再生を行うようにしたディスクカートリッジプレーヤに関する。
【０００２】
【従来の技術】
一般に光ディスクや光磁気ディスク等のディスクをカートリッジに収納してなるディスクカートリッジを用いて、情報信号の記録及び／又は再生を行うようにしたディスクカートリッジプレーヤが提案されている。
【０００３】
斯るディスクカートリッジプレーヤにおいてはディスクカートリッジを保持すると共にこのディスクカートリッジの挿入又は排出位置、記録又は再生位置に移動する如く成されたカートリッジホルダを含むメカデッキと、このディスクカートリッジの記録又は再生位置において、このディスクカートリッジのディスクを保持すると共に回転制御する回転駆動機構と、この回転駆動機構に保持されたディスクに対し、情報信号の記録（書込み）及び／又は再生（読出し）を行うピックアップ装置等がシャーシ上に設けられ構成されている。
【０００４】
またこのシャーシ上の所定位置にこのディスクカートリッジのディスクの記録又は再生時にこのディスクカートリッジに設けられた位置決め用穴を挿入する位置決めピンが設けられていた（特許文献１参照）。
【０００５】
【特許文献１】
特開２００１−２２８５１号公報
【０００６】
【発明が解決しようとする課題】
このディスクカートリッジの位置決めピンがカートリッジホルダを含むメカデッキ等と同じシャーシに設けられていた場合、この位置決めピンが設けられるスペースまで、このシャーシを広げる必要があり且つこの位置決めピンの設けられているシャーシの部分の厚さ（板厚、肉厚）も、このメカデッキ等を設ける部分と同じ厚さとなっていた。
【０００７】
従って、同じメカデッキ等を用いるディスクカートリッジプレーヤでは、位置決めピンの下側のスペースとしてこのシャーシの厚さや形状の分だけ必要であった。
【０００８】
然し、スペースに余裕のあるディスクカートリッジプレーヤでは問題はないが、小型化を図っているスペースに余裕のないカートリッジプレーヤ等では、このスペースをできるだけ有効に使用する必要がある。
【０００９】
本発明は斯る点に鑑み、この位置決めピンの下側のスペースを有効に使用することを目的とする。
【００１０】
【課題を解決するための手段】
本発明ディスクカートリッジプレーヤはディスクカートリッジを保持すると共にこのディスクカートリッジの挿入又は排出位置、記録又は再生位置に移動する如く成されたカートリッジホルダが設けられたシャーシを有し、このシャーシとは別部品にこのディスクカートリッジの位置決めピンを設け、このシャーシの所定位置にこの別部品を取付けるようにしたものである。
【００１１】
斯る本発明によれば位置決めピンのベースをシャーシとは別部品としたので、このベースを薄くすることができ、この位置決めピンの下側のスペースを例えば電池ケースとして使用でき有効に使用することができる。
【００１２】
【発明の実施の形態】
以下図面を参照して本発明ディスクカートリッジプレーヤの実施の形態の例に付き説明する。
【００１３】
本例によるディスクカートリッジプレーヤは図２、図４に示す如く、光ディスクや光磁気ディスク等のディスクをカートリッジに収納したディスクカートリッジ１を保持すると共にこのディスクカートリッジ１の挿入又は排出位置、記録又は再生位置に移動する如くなされたカートリッジホルダ２を含むメカデッキと、このディスクカートリッジ１の記録又は再生位置において、このディスクカートリッジ１のディスクを保持すると共に回転制御する回転駆動機構３と、この回転駆動機構３に保持されたディスクに対し、情報信号の記録（書込み）及び／又は再生（読出し）を行うピックアップ装置４等がシャーシ５上に設けられ構成される。このシャーシ５の材料として例えばポリフェニレンエーテル（ＰＰＥ）を使用する。
【００１４】
このディスクカートリッジ１のカートリッジホルダ２はヒンジ部を支点としてホップアップ式（はね上げ式）に矢印ａ方向に回動し、このカートリッジホルダ２にディスクカートリッジ１を矢印ｂ方向に挿入、排出する如くなしたものである。このカートリッジホルダ２は図２の位置状態でディスクカートリッジ１を挿入又は排出し、このカートリッジホルダ２をシャーシ５側に回動した位置でディスクカートリッジ１に収納されたディスクに記録（書込み）又は再生（読出し）する如くする。図２において、６は記録（書込み）時に使用される磁気ヘッドである。
【００１５】
本例においては、図２、図４に示す如く、このシャーシ５の大きさ及び形状は、カートリッジホルダ２を含むメカデッキ、ディスクカートリッジ１のディスクを保持すると共に回転制御する回転駆動機構３、このディスクに対し、情報信号を記録（書込み）及び／又は再生（読出し）を行うピックアップ装置４等を設けるのに必要最小限のものとし、このシャーシ５上にはディスクカートリッジ１のディスクに対し、情報信号を記録（書込み）又は再生（読出し）するときにこのディスクカートリッジ１に設けられた位置決め用穴１ａに係合する位置決めピンを設けない如くする。
【００１６】
このディスクカートリッジプレーヤにおいて、従来２次電池が挿入されていた部分が、このディスクカートリッジプレーヤの厚さへの影響が大きいので、その部分をできるだけ薄くしなければならない。しかしこのディスクカートリッジプレーヤの厚さに関しては外装（筺体）、ディスクカートリッジ１、基板（シャーシ）５等は省くことがはできない。
【００１７】
そこで本例においては、この２次電池１０の挿入部分をシャーシ５とは別部品、本例においては図３に示す如き長方形の電池ケース部品１１とする。この電池ケース部品１１は例えばＰＰＥで形成し、厚さを例えば０．１〜０．２ｍｍとする。
【００１８】
またこの電池ケース部品１１の長辺の一側に段部１２を形成し、この段部１２にシャーシ５に形成した取付け孔５ａ及び５ｂに係合する取付け用ボス１２ａ及び１２ｂを形成し、この取付け用ボス１２ａ及び１２ｂを図１に示す如くこのシャーシ５の取付け孔５ａ及び５ｂに係合し、この電池ケース部品１１をシャーシ５の所定位置例えば２次電池の挿入部に精度良く取付ける如くする。
【００１９】
このシャーシ５に電池ケース部品１１を取付けたときは、図１、図４に示す如くこのシャーシ５の上面と電池ケース部品１１の上面とは面一となる如くする。
【００２０】
本例においては、この電池ケース部品１１の上面の所定位置にこの電池ケース部品１１をベースとして、ディスクカートリッジ１のディスクに記録（書込み）又は再生（読出し）するときに、このディスクカートリッジ１の位置決め用穴１ａを係合する位置決めピン１３を設ける。また図４において、１３ａはディスクカートリッジ１の第２の位置決めピンである。本例はその他は従来同様に構成する。
【００２１】
本例において、ディスクカートリッジ１のディスクに対し、情報信号を記録（書込み）又は再生（読出し）するときには、図１に示す如くディスクカートリッジ１の位置決め用穴１ａに位置決めピン１３を係合して位置決めする如くし、良好にこのディスクカートリッジ１のディスクに対し記録（書込み）又は再生（読出し）できる如くする。
【００２２】
本例によれば、位置決めピン１３のベースをシャーシ５とは別部品１１としたので、このベースを薄くすることができ、この位置決めピンの下側のスペースを有効に使用することができると共にシャーシ５と別部品１１とを別々の材料で形成することができる。特に本例の如くこの別部品１１をディスクカートリッジプレーヤの厚さへの影響の大きい２次電池１０の挿入部の電池ケース部品としたときには、図１に示す如く、この位置決めピン１３の下側の電池ケース部品１１に２次電池１０を収納でき、このシャーシ５の厚さ分だけ、このディスクカートリッジプレーヤを小型化（厚さを薄く）することができる。
【００２３】
また本例によればシャーシ５とは別部品１１にディスクカートリッジ１の位置決めピン１３を設けるようにしたので、この別部品１１をディスクカートリッジプレーヤの仕様（大きさ等）に合わせて形状を変更するようにすれば種々の仕様のディスクカートリッジプレーヤに対し、メカデッキを共通に使用するようにでき、メカデッキの汎用性を従来より広げることができる。
【００２４】
尚上述例では別部品１１を電池ケース部品に適用した例につき述べたが、この別部品をその他の部品に適用できることは容易に理解できよう。
【００２５】
また、本発明は上述例に限ることなく、本発明の要旨を逸脱することなく、その他種々の構成が採り得ることは勿論である。
【００２６】
【発明の効果】
本発明によれば位置決めピンのベースをシャーシとは別部品としたので、このベースを薄くすることができ、この位置決めピンの下側のスペースを有効に使用することができると共にこのシャーシと別部品とを別々の材料で形成することができる。特にこの別部品をディスクカートリッジプレーヤの厚さへの影響の大きい２次電池の挿入部の電池ケース部品としたときには、この位置決めピンの下側の電池ケース部品に２次電池を収納でき、このシャーシの厚さ分だけ、このディスクカートリッジプレーヤを小型化（厚さを薄く）することができる。
【００２７】
また本発明によればシャーシとは別部品にディスクカートリッジの位置決めピンを設けるようにしたので、この別部品をディスクカートリッジプレーヤの仕様（大きさ等）に合わせて形状を変更するようにすれば種々の仕様のディスクカートリッジプレーヤに対し、メカデッキを共通に使用するようにでき、メカデッキの汎用性を従来より広げることができる。
【図面の簡単な説明】
【図１】本発明ディスクカートリッジプレーヤの実施の形態の例の要部を示す一部切欠断面図である。
【図２】本発明ディスクカートリッジプレーヤの実施の形態の例を示す斜視図である。
【図３】図２の要部の例を示す斜視図である。
【図４】図２のシャーシの例を示す斜視図である。
【符号の説明】
１‥‥ディスクカートリッジ、１ａ‥‥位置決め用穴、２‥‥カートリッジホルダ、３‥‥回転駆動機構、４‥‥ピックアップ装置、５‥‥シャーシ、５ａ，５ｂ‥‥取付け孔、１０‥‥２次電池、１１‥‥電池ケース部品（別部品）、１２‥‥段部、１２ａ，１２ｂ‥‥取付け用ボス、１３‥‥位置決めピン
【図１】
2004164698.tif 000003
【図２】
2004164698.tif 000004
【図３】
2004164698.tif 000005
【図４】
2004164698.tif 000006